(57)【要約】【課題】取扱いが容易で、イヤホーン部の収容スペースも少なく、デザイン的にも好ましい携帯端末機を提供する。【解決手段】少なくとも画面部２０とイヤホーン部４０とマイクロフォン部３２と、携帯端末本体１１を有する携帯端末機１０において、イヤホーン部４０は、略板状で正面形状が円弧状又は楕円孤状に形成される。イヤホーン部４０は、携帯端末機１０の上端に着脱自在に取付けられ、イヤホーン部４０と携帯端末本体１１とはワイヤレスで送受信される携帯端末機である。【選択図】図１
2013162390.tif 000002
【特許請求の範囲】
【請求項１】
少なくとも画面部、操作部とイヤホーン部が設けられた携帯端末本体とマイクロフォン部を有する携帯端末機において、
上記イヤホーン部は、略板状で正面形状が円弧状又は楕円孤状に形成されるとともに、上記携帯端末本体の上端に着脱自在に取付けられ、上記イヤホーン部と上記携帯端末本体とはワイヤレスで送受信されることを特徴とする携帯端末機。
【請求項２】
上記イヤホーン部の外縁部分は、耳に取付けたときに、外耳の突起部分に２又は３か所係止される請求項１に記載の携帯端末機。
【請求項３】
上記イヤホーン部は、上記携帯端末本体に取付けたときに、上記携帯端末本体の上辺と均一な上面を形成する請求項１又は２に記載の携帯端末機。
【請求項４】
上記イヤホーン部は、上記携帯端末本体に取付けられたときに、受話口が上記マイクロフォン部と同じ側に位置するよう形成された請求項１乃至３のいずれか１項に記載の携帯端末機。
【請求項５】
上記イヤホーン部は、上辺の長さが２２〜２８ｍｍ、上辺から円弧状又は楕円孤状の底部までの長さが１１〜１７ｍｍ、厚さが４〜６ｍｍである請求項１乃至４のいずれか１項に記載の携帯端末機。
【発明の詳細な説明】
【技術分野】
【０００１】
本発明は、イヤホーン部が携帯端末本体と着脱自在に取付けできる携帯端末機に関するものである。
【背景技術】
【０００２】
携帯端末機は、近年多機能を有するためその表示画面が大きく形成されている。２つ折りタイプの携帯端末機では、画面部分が大きくなり、通話時に画面部分が顔に当たり、画面が汚れたり、見にくくなったりすることが多かった。また、いわゆるスマートフォンではその画面が携帯端末機の大部分を占めるまでに形成されているため、画面の汚れが問題となる。そして通話中においても画面を見たいという要望もある。
【０００３】
そのため、図１０に示すように、通話中に画面と顔が接触しないように、或いは通話中の外部からの騒音を防止するため、イヤホーン部１４０を携帯端末本体１１１から着脱可能に形成する携帯端末機１１０がある（例えば、特許文献１参照。）。そして、イヤホーン部１４０と携帯端末本体１１１とは、無線通信でつながっている。
【０００４】
しかしながら、この場合には、イヤホーン部１４０を携帯端末本体１１１に取付けるときに、その取付部を携帯端末本体１１１の側面に取付けており、イヤホーン部１４０が携帯端末本体１１１の側面から突出して、アンテナ１４６も外部に露出して、ポケットに収納するときに、イヤホーン部１４０が引っ掛かり取扱いが不便であった。また、イヤホーン部１４０を収納するスペースが大きくなり、デザイン的にも好ましくなかった。
さらに、イヤホーン部１４０を取付けたまま、通話することができず、通話の都度必ずイヤホーン部１４０を取り外す必要があった。
【０００５】
また、図１１に示すように、音声信号を無線でイヤホーン部２４０に送信する送信機２１０もある（例えば、特許文献２参照。）。この場合は、イヤホーン部２４０は、アンテナ２４６を内蔵し、耳に外側から掛けるように形成したもので、イヤホーン部２４０も大きくなり、送信機２１０とは別々に形成されて、一体に取付けることはできなかったため、取扱いに不便であった。
【０００６】
さらに、図１２に示すように、コードレス電話において、マイクとスピーカを一体化した携帯端末機がある（例えば、特許文献３参照。）。この場合には、受話器の部分と送話器の部分を１つの機器内に納めて、外耳道の中に挿入するため、外耳道の中に挿入する部分を突出させる必要があるとともに、機器の形状が複雑になり、携帯端末本体に一体に取付けることが困難であったり、取付ける部分のスペースを要したりすることとなる。
【先行技術文献】
【特許文献】
【０００７】
【特許文献１】特開２００１−１９７１６３号公報
【特許文献２】実開平７−１１０３３号公報
【特許文献３】特開平７−１０７１４６号公報
【発明の概要】
【発明が解決しようとする課題】
【０００８】
そこで、本発明は、取扱いが容易で、イヤホーン部の収容スペースも少なく、デザイン的にも好ましい携帯端末機を提供することを目的としている。
【課題を解決するための手段】
【０００９】
上記課題を解決するために請求項１の本発明は、少なくとも画面部、操作部とイヤホーン部が設けられた携帯端末本体とマイクロフォン部を有する携帯端末機において、
イヤホーン部は、略板状で正面形状が円弧状又は楕円孤状に形成されるとともに、携帯端末機本体の上端に着脱自在に取付けられ、イヤホーン部と携帯端末本体とはワイヤレスで送受信されることを特徴とする携帯端末機である。
【００１０】
請求項１の本発明では、イヤホーン部は、略板状で正面形状が円弧状又は楕円孤状に形成されるため、小型であり、携帯端末本体に嵌めやすく、イヤホーン部の取付部のスペースを小さくすることができデザイン的に好ましい。正面形状が円弧状又は楕円孤状であるため、耳に取付けたときに、外耳部の凹んだ部分にイヤホーン部の先端部分を係止することができる。
【００１１】
携帯端末本体の上端に着脱自在に取付けられるため、取り外しも片手ででき、携帯端末機の上端のラインがすっきりとするため、デザイン的に好ましい。
イヤホーン部と携帯端末本体とはワイヤレスで送受信されるため、イヤホーン部と携帯端末本体を繋ぐコードが不要であり、取扱いが容易である。また、画面を見ながら通話することもできる。
【００１２】
請求項２の本発明は、イヤホーン部の外縁部分は、耳に取付けたときに、外耳の突起部分に２又は３か所係止される携帯端末機である。
【００１３】
請求項２の本発明では、イヤホーン部の外縁部分は、耳に取付けたときに、外耳の突起部分に２又は３か所係止されるため、板状のイヤホーン部が耳の外耳部分に確実に保持されることができる。
【００１４】
請求項３の本発明は、イヤホーン部は、携帯端末本体に取付けたときに、携帯端末本体の上辺と均一な上面を形成する携帯端末機である。
【００１５】
請求項３の本発明では、イヤホーン部は、携帯端末本体に取付けたときに、携帯端末本体の上辺と均一な上面を形成するため、携帯端末機の上面に突出部がなく、取扱い時に引っ掛かることがないとともに、デザイン的に優れている。均一な上面とは、直線状に平坦な面や、円弧状に湾曲したスムースな面であればよい。
【００１６】
請求項４の本発明は、イヤホーン部は、携帯端末本体に取付けられたときに、受話口がマイクロフォン部と同じ側に位置するよう形成された携帯端末機である。
【００１７】
請求項４の本発明では、イヤホーン部は、携帯端末本体に取付けられたときに、受話口がマイクロフォン部と同じ側に位置するよう形成されたため、イヤホーン部を携帯端末本体に取付けたままでも、通話することができる。
【００１８】
請求項５の本発明は、イヤホーン部は、上辺の長さが２２〜２８ｍｍ、上辺から円弧状又は楕円孤状の底部までの長さが１１〜１７ｍｍ、厚さが４〜６ｍｍである携帯端末機である。
【００１９】
請求項５の本発明では、イヤホーン部は、上辺の長さが２２〜２８ｍｍ、上辺から円弧状又は楕円孤状の底部までの長さが１１〜１７ｍｍ、厚さが４〜６ｍｍであるため、人の耳の中にちょうど保持されて、落ちることがない。
【発明の効果】
【００２０】
イヤホーン部は、略板状に形成されるため、携帯端末本体に嵌めやすく、取付部のスペースを小さくすることができデザイン的に好ましい。正面形状が円弧状又は楕円孤状であるため、耳に取付けたときに、外耳部の凹んだ部分にイヤホーン部の先端部分が係止されることができる。
【図面の簡単な説明】
【００２１】
【図１】本発明の第１の実施の形態である携帯端末機を開いた状態の内側面を示す正面図である。
【図２】本発明の第１の実施の形態である携帯端末機を閉じた状態の外側面を示す正面図である。
【図３】本発明の第１の実施の形態である携帯端末機を閉じた状態の右側面図である。
【図４】本発明の第１の実施の形態である携帯端末機を閉じた状態の平面図である。
【図５】本発明の第１の実施の形態である携帯端末機のイヤホーン部の正面図である。
【図６】本発明の第１の実施の形態である携帯端末機のイヤホーン部の平面図である。
【図７】本発明の第１の実施の形態である携帯端末機のイヤホーン部を耳に取付けた状態を示す斜視図である。
【図８】本発明の第２の実施の形態である携帯端末機の正面図である。
【図９】本発明の第２の実施の形態である携帯端末機の右側面である。
【図１０】従来の携帯端末機にイヤホーン部を取付けた状態の一部断面図である。
【図１１】従来の送信機とイヤホーン部が無線で接続された状態を示す正面図である。
【図１２】従来の他の携帯端末機のイヤホーン部を耳に取付けた状態の一部断面図である。
【発明を実施するための形態】
【００２２】
まず、本発明の第１の実施の形態を、図１〜図７に基づき説明し、第２の実施の形態は後に説明する。
本発明の第１の実施の形態は、中央付近で２つに折り畳みのでき、一方が画面部２０で、他方は、操作パネル３１が設けられた操作部３０を有する携帯端末機１０で説明する。
【００２３】
図１に示すように、本発明の第１の実施の形態である携帯端末機１０は、液晶画面２１を有する画面部２０と、操作パネル３１を有する操作部３０を有し、画面部２０と操作部３０が携帯端末本体１１を構成している。さらに、画面部２０の上辺にはイヤホーン部４０が着脱自在に取付けられ、全体で携帯端末機１０を構成する。なお、イヤホーン部４０については、後述する。
【００２４】
画面部２０と操作部３０は、図３に示すように、回転軸３３で回動可能に取付けられ、閉じた状態では、図２と３に示すように長方形の箱状になり、開いた状態では、図１に示すように、内面の液晶画面２１と操作パネル３１が現れる。
操作部３０の操作パネル３１よりも下部には、マイクロフォン部３２が設けられている。
【００２５】
画面部２０には上述の如く、液晶画面２１が形成され、上端の部分にイヤホーン部４０を取付けることができるように、円弧状の切開部であるイヤホーン取付部２２が形成されている。イヤホーン取付部２２の上端は、イヤホーン部４０の上辺部４４の両端を保持するように若干、切開部側に張り出して形成してもよい。
【００２６】
次に、図５と６に基づき、イヤホーン部４０について説明する。
携帯端末機１０の画面部２０の上端にイヤホーン部４０が着脱自在に取付けられる。このため、取り外しも片手でできる。また、携帯端末機１０の上端のラインがすっきりとするため、デザイン的に好ましい。イヤホーン部４０と携帯端末本体１１とはワイヤレスで送受信されるため、イヤホーン部４０と携帯端末本体１１を繋ぐコードが不要であり、取扱いが容易である。
【００２７】
本第１の実施の形態では、イヤホーン部４０は、略板状で正面形状が円弧状に形成される。正面形状が楕円弧状又は三角の各頂点が円弧状に切欠かれて円弧状に類似した形状でもよい。このため、後述する図７に示すように、耳５０に取付けたときに、外耳部の凹んだ部分にイヤホーン部４０の先端部分が係止されることができる。
イヤホーン部４０の外面は、プラスチック等の携帯端末本体１１の外面と同様の材料で形成することができる。
【００２８】
図５に示すように、円弧状に形成されたイヤホーン部４０は、上辺部４４は水平に直線状に形成され、左側端部４１と右側端部４２は、角部が面取りされて円弧状に形成され、上辺部４４の長さ（図５のA）が２２〜２８ｍｍであることが好ましい。上辺部４４から円弧状又は楕円孤状の湾曲底部４３までの長さ（図５のB）が１１〜１７ｍｍであることが好ましい。厚さ（図６のC）が４〜６ｍｍであることが好ましい。この寸法よりも大きいと図７に示すように、人の耳の外耳部分に嵌めにくく、この寸法よりも小さいと、人の耳の外耳部分から外れやすくなる。
【００２９】
なお、イヤホーン部４０の厚さは、特に、耳５０に取付けたときに当接する部分である上辺部４４と湾曲状の周辺部分で上記の厚さであればよく、中心部分では、イヤホーン部４０内に装着される受信機の大きさにより、耳５０に装着時に邪魔にならない程度に、若干膨らんでもよい。イヤホーン部４０の設けられる受信機は、通常の受信機に設けられるアンテナ、受信部、音声再生部等を有し、イヤホーン部４０に装着されるように小型に形成される。
【００３０】
図７に示すように、人の耳５０にイヤホーン部４０を取付けると、耳５０の外周である耳輪５５よりも内側において外耳道孔５６を塞ぐように取付けられて、イヤホーン部４０の上辺部４４の一端が耳５０の耳珠５１の奥に係合し、上辺部４４の他端が対耳輪脚５３の凹んだ部分に係合し、イヤホーン部４０の湾曲底部４３が対耳珠５２の奥と耳甲助５４の凹んだ部分に係合する。
この様に、イヤホーン部４０の外縁部分は、耳５０に取付けたときに、外耳の突起部分に２又は３か所係止されるため、板状のイヤホーン部４０が耳５０の外耳部分に確実に保持されることができる。
【００３１】
イヤホーン部４０は、携帯端末本体１１に取付けたときに、携帯端末本体１１の画面部２０の上辺のイヤホーン取付部２２に取付けられて、イヤホーン部４０の上辺部４４と画面部２０の上端のイヤホーン取付部２２以外の部分は、均一な凹凸の無い上面を形成するため、携帯端末機１０の上面に突出部がなく、取扱い時に引っ掛かることがないとともに、デザイン的に優れている。
【００３２】
携帯端末本体１１に取付けられたときに、イヤホーン部４０は、受話口４５が操作部３０のマイクロフォン部３２と同じ側に位置するよう形成されている。このため、イヤホーン部４０を携帯端末本体１１に取付けたままでも、送受信することができる。
【００３３】
イヤホーン部４０の円弧状の外周には凹部を形成し、対向するイヤホーン取付部２２には凸部を形成してもよい。この場合には、イヤホーン部４０を画面部２０のイヤホーン取付部２２に取付けると、イヤホーン取付部２２の凸部が凹部に嵌め込まれて、イヤホーン部４０が安定して携帯端末本体１１に取付けられる。
【００３４】
また、イヤホーン部４０とイヤホーン取付部２２にはそれぞれ磁石を埋め込んでイヤホーン部４０が外れないようにすることもできる。また、イヤホーン取付部２２にバネにより付勢された突起部を設けるとともに、イヤホーン部４０にその突起部が係合する凹部を設けて、取付けてもよい。
【００３５】
次に、図８と図９に基づき本発明の第２の実施の形態について説明する。
図８に示すように、本発明の第２の実施の形態である携帯端末機１０は、いわゆるスマートフォンタイプのものを含み、携帯端末本体１１に大きな液晶画面２１を有する。第１の実施の形態における操作部３０は、必要なときに、液晶画面２１に操作パネル３１が表示される。
【００３６】
第１の実施の形態と同様に、携帯端末本体１１の上部には、図８と図９に示すように、イヤホーン部４０が着脱自在に取付けられる。イヤホーン部４０の形状と機能は第１の実施の形態と同じである。
第１の実施の形態と同様に、携帯端末本体１１の下部には、マイクロフォン部３２も設けられている。
【符号の説明】
【００３７】
１０  携帯端末機
１１  携帯端末本体
２０  画面部
２２  イヤホーン取付部
３０  操作部
４０  イヤホーン部
４４  上辺部
【図１】
2013162390.tif 000003
【図２】
2013162390.tif 000004
【図３】
2013162390.tif 000005
【図４】
2013162390.tif 000006
【図５】
2013162390.tif 000007
【図６】
2013162390.tif 000008
【図７】
2013162390.tif 000009
【図８】
2013162390.tif 000010
【図９】
2013162390.tif 000011
【図１０】
2013162390.tif 000012
【図１１】
2013162390.tif 000013
【図１２】
2013162390.tif 000014